【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
アクターの動きに基づいて生成されるキャラクタオブジェクトのアニメーションを含む動画を配信する動画配信システムであって、
視聴ユーザが用いる装置であって、動画の視聴が可能なアプリケーションを実装した情報処理端末と、
前記情報処理端末と接続するサーバとを備え、
前記サーバが、
前記キャラクタオブジェクトと、表示態様の変化を複数回行う特定オブジェクトとを含む動画データを生成し、前記動画データを前記情報処理端末に送信し、
前記視聴ユーザのアクティビティを記憶部に記録し、
前記動画を視聴した視聴ユーザ数が所定数に達した場合、又は全ての視聴ユーザの視聴時間を累計した総視聴時間が所定時間に達した場合に前記特定オブジェクトの表示態様を変化させ、
前記情報処理端末が、
前記動画データを前記サーバから受信し、
前記動画データに基づく動画を前記視聴ユーザが視認するディスプレイに表示する
動画配信システム。
【請求項２】
配信ユーザが配信する前記動画は複数回に亘って配信され、
前記サーバが、
同一の前記配信ユーザが配信する動画であって各配信回での視聴ユーザを累積した数を前記視聴ユーザ数として取得し、当該視聴ユーザ数が所定数に達したか否かを判定する
請求項１に記載の動画配信システム。
【請求項３】
前記サーバが、
動画を同時に視聴した視聴ユーザを合計した数を前記視聴ユーザ数として取得し、当該視聴ユーザ数が所定数に達したか否かを判定する
請求項１に記載の動画配信システム。
【請求項４】
配信ユーザが配信する前記動画は複数回に亘って配信され、
前記サーバが、
同一の前記配信ユーザが配信する動画であって各配信回での視聴ユーザの視聴時間を累積した時間を前記総視聴時間として取得し、当該総視聴時間が所定時間に達したか否かを判定する
請求項１に記載の動画配信システム。
【請求項５】
前記サーバが、
前記動画を自身のカテゴリに登録した前記視聴ユーザの数が所定数に到達した場合に前記特定オブジェクトの表示態様を変化させる
請求項１〜４のいずれか１項に記載の動画配信システム。
【請求項６】
前記情報処理端末が、前記動画に対するメッセージを送信し、
前記サーバが、
受信した前記メッセージの数が所定数に到達した場合に前記特定オブジェクトの表示態様を変化させる
請求項１〜５のいずれか１項に記載の動画配信システム。
【請求項７】
前記情報処理端末が、当該情報処理端末の入力部への前記視聴ユーザの入力に基づき、前記サーバにギフトオブジェクトの表示要求を送信し、
前記サーバが、前記ギフトオブジェクトに応じて表示態様が変化した前記特定オブジェクトを含む動画データを生成し、前記動画データを前記情報処理端末に送信する
請求項１〜６のいずれか１項に記載の動画配信システム。
【請求項８】
前記サーバが、
互いに異なる前記ギフトオブジェクトについて、前記表示要求が行われた回数をそれぞれ取得し、
前記特定オブジェクトを、表示回数が行われた回数が多い前記ギフトオブジェクトに応じた表示態様とした動画データを生成し、前記動画データを前記情報処理端末に送信する
請求項７に記載の動画配信システム。
【請求項９】
前記サーバが、
前記キャラクタオブジェクトと、初期形態から最終形態まで不可逆的に表示態様を複数回変化させる特定オブジェクトとを含む動画データを生成し、前記動画データを前記情報処理端末に送信する
請求項１〜８のいずれか１項に記載の動画配信システム。
【請求項１０】
前記サーバが、
前記特定オブジェクトが前記最終形態まで到達した場合に、当該特定オブジェクトの表示態様を、成果物を含むものとした動画データを生成し、前記動画データを前記情報処理端末に送信する
請求項９に記載の動画配信システム。
【請求項１１】
前記サーバが、前記特定オブジェクトが前記最終形態に到達した場合に、当該特定オブジェクトに関連付けられた前記初期形態の新たな特定オブジェクトを含む動画データを生成し、前記動画データを前記情報処理端末に送信する
請求項９又は１０に記載の動画配信システム。
【請求項１２】
前記サーバが、
複数の前記特定オブジェクトに基づいて、前記特定オブジェクトの合成オブジェクトを含む動画データを生成し、前記動画データを前記情報処理端末に送信する
請求項１〜１１のいずれか１項に記載の動画配信システム。
【請求項１３】
前記サーバが、
前記キャラクタオブジェクトと、前記動画を配信する配信者に向けた動画配信のアドバイスを表示する特定オブジェクトとを含む動画データを生成し、前記動画データを前記情報処理端末に送信する
請求項１〜１２のいずれか１項に記載の動画配信システム。
【請求項１４】
前記サーバが、
前記アクティビティに応じて前記特定オブジェクトの表示態様を変化させる変化条件が満たされたと判定した場合、当該変化条件が満たされたときの日時情報に応じて表示態様が変化した前記特定オブジェクトを含む動画データを生成し、前記動画データを前記情報処理端末に送信する
請求項１〜１３のいずれか１項に記載の動画配信システム。
【請求項１５】
前記サーバが、
前記アクティビティに応じて前記特定オブジェクトの表示態様を変化させる変化条件が満たされたと判定した場合、外的環境に関する情報を取得し、前記取得した外的環境に関する情報に基づいて表示態様が変化した前記特定オブジェクトを含む動画データを生成し、前記動画データを前記情報処理端末に送信する
請求項１〜１４のいずれか１項に記載の動画配信システム。
【請求項１６】
前記情報処理端末が、前記動画へのギフトオブジェクトとして前記特定オブジェクトの表示要求を前記サーバに送信し、
前記サーバが、前記特定オブジェクトの表示要求に応じて当該特定オブジェクトを含む動画データを生成し、前記動画データを前記情報処理端末に送信する
請求項１〜１５のいずれか１項に記載の動画配信システム。
【請求項１７】
前記サーバが、
配信ユーザの動画の配信回数を記録し、
前記配信回数が所定回数に達した場合に前記特定オブジェクトの表示態様を変化させる
請求項１〜１６のいずれか１項に記載の動画配信システム。
【請求項１８】
視聴ユーザが用いる装置であって動画の視聴が可能なアプリケーションを実装した情報処理端末と、前記情報処理端末と接続するサーバとを用いて、アクターの動きに基づいて生成されるキャラクタオブジェクトのアニメーションを含む動画を配信する動画配信方法であって、
前記サーバが、
前記キャラクタオブジェクトと、表示態様の変化を複数回行う特定オブジェクトとを含む動画データを生成し、前記動画データを前記情報処理端末に送信するステップと、
前記視聴ユーザのアクティビティを記憶部に記録するステップと、
前記動画を視聴した視聴ユーザ数が所定数に達した場合、又は全ての視聴ユーザの視聴時間を累計した総視聴時間が所定時間に達した場合に前記特定オブジェクトの表示態様を変化させるステップと、を実行し、
前記情報処理端末が、
前記動画データを前記サーバから受信するステップと、
前記動画データに基づく動画を前記視聴ユーザが視認するディスプレイに表示するステップと、を実行する
動画配信方法。
【請求項１９】
視聴ユーザが用いる装置であって動画の視聴が可能なアプリケーションを実装した情報
処理端末と接続されたサーバの動画配信方法であって、
前記サーバが、
キャラクタオブジェクトと、表示態様の変化を複数回行う特定オブジェクトとを含む動画データを生成し、前記動画データを前記情報処理端末に送信するステップと、
前記視聴ユーザのアクティビティを記憶部に記録するステップと、
前記動画を視聴した視聴ユーザ数が所定数に達した場合、又は全ての視聴ユーザの視聴時間を累計した総視聴時間が所定時間に達した場合に前記特定オブジェクトの表示態様を変化させるステップと、を実行する
動画配信方法。
【請求項２０】
視聴ユーザが用いる装置であって動画の視聴が可能なアプリケーションを実装した情報処理端末と接続されたサーバであって、
キャラクタオブジェクトと、表示態様の変化を複数回行う特定オブジェクトとを含む動画データを生成し、前記動画データを前記情報処理端末に送信し、
前記視聴ユーザのアクティビティを記憶部に記録し、
前記動画を視聴した視聴ユーザ数が所定数に達した場合、又は全ての視聴ユーザの視聴時間を累計した総視聴時間が所定時間に達した場合に前記特定オブジェクトの表示態様を変化させる
サーバ。
【請求項２１】
視聴ユーザによって用いられ、アクターの動きに基づいて生成されるキャラクタオブジェクトのアニメーションを含む動画を前記視聴ユーザが視認するディスプレイに表示する情報処理端末が行う情報処理方法であって、
前記情報処理端末が、
前記キャラクタオブジェクト及び表示態様の変化を複数回行う特定オブジェクトを含む動画データをサーバから受信するステップと、
前記動画データに基づく動画を前記ディスプレイに表示するステップと、
前記視聴ユーザのアクティビティを前記サーバに送信するステップと、
前記動画を視聴した視聴ユーザ数が所定数に達した場合、又は全ての視聴ユーザの視聴時間を累計した総視聴時間が所定時間に達した場合に表示態様が変化した前記特定オブジェクトを含む動画を前記ディスプレイに表示するステップと、を実行する
情報処理方法。
【請求項２２】
視聴ユーザによって用いられ、アクターの動きに基づいて生成されるキャラクタオブジェクトのアニメーションを含む動画を前記視聴ユーザが視認するディスプレイに表示する情報処理端末の動画用プログラムであって、
前記情報処理端末に、
前記キャラクタオブジェクト及び表示態様の変化を複数回行う特定オブジェクトを含む動画データをサーバから受信するステップと、
前記動画データに基づく動画を前記ディスプレイに表示するステップと、
前記視聴ユーザのアクティビティを前記サーバに送信するステップと、
前記動画を視聴した視聴ユーザ数が所定数に達した場合、又は全ての視聴ユーザの視聴時間を累計した総視聴時間が所定時間に達した場合に表示態様が変化した前記特定オブジェクトを含む動画を前記ディスプレイに表示するステップと、を実行させる
動画用プログラム。
【手続補正２】
【補正対象書類名】明細書
【補正対象項目名】発明の名称
【補正方法】変更
【補正の内容】
【発明の名称】動画配信システム、動画配信方法、サーバ、情報処理方法、及び動画用プログラム
【手続補正３】
【補正対象書類名】明細書
【補正対象項目名】０００１
【補正方法】変更
【補正の内容】
【０００１】
本発明は、動画配信システム、動画配信方法、サーバ、情報処理方法、及び動画用プログラムに関する。